【手続補正書】
【提出日】平成30年7月20日(2018.7.20)
【手続補正１】
【補正対象書類名】明細書
【補正対象項目名】０００４
【補正方法】変更
【補正の内容】
【０００４】
超臨界流体を利用する典型的な熱力学的動力生成サイクルは、作用流体が超臨界流体である第１のブレイトンサイクルと、作用流体が周囲空気である第２のブレイトンサイクル内に配置された圧縮器と、燃焼器と、熱交換器とを含む。超臨界流体サイクルと周辺サイクルとの間で熱を伝達するのに必要とされる熱交換器は、大型であり、費用が高く、実装するのに実用的ではない場合がある。より効果的に流れサイクルを管理することで、超臨界流体サイクルを利用する動力発生システムにおける熱伝達の効率を改善することができる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  欧州特許出願公開第２４０２６９７号明細書
（特許文献２）  仏国特許発明第１３９１５１４号明細書
（特許文献３）  米国特許第４，２６３，９６４号明細書
（特許文献４）  米国特許第５，０６９，２７６号明細書
（特許文献５）  米国特許第８，１９６，６４４号明細書
（特許文献６）  米国特許出願公開第２００７／０１０７８８９号明細書
（特許文献７）  米国特許第３，０５８，０１８号明細書
（特許文献８）  米国特許第３，５８３，１５６号明細書
（特許文献９）  米国特許第３，９７１，２１１号明細書
（特許文献１０）  米国特許第４，１３８，６１８号明細書
（特許文献１１）  米国特許第４，１６６，３６２号明細書
（特許文献１２）  米国特許第４，２６７，６９２号明細書
（特許文献１３）  米国特許第４，３４７，７１１号明細書
（特許文献１４）  米国特許第４，３７５，７４５号明細書
（特許文献１５）  米国特許第４，４９８，２８９号明細書
（特許文献１６）  米国特許第４，５２０，２８４号明細書
（特許文献１７）  米国特許第４，６８３，３９２号明細書
（特許文献１８）  米国特許第４，７８０，６３７号明細書
（特許文献１９）  米国特許第５，３２３，６０３号明細書
（特許文献２０）  米国特許第６，１９１，５６１号明細書
（特許文献２１）  米国特許第６，３１８，０６６号明細書
（特許文献２２）  米国特許第６，４３０，９１６号明細書
（特許文献２３）  米国特許第６，６０６，８６４号明細書
（特許文献２４）  米国特許第６，８４８，２４９号明細書
（特許文献２５）  米国特許第６，９４５，０５２号明細書
（特許文献２６）  米国特許第６，９９１，０２６号明細書
（特許文献２７）  米国特許第７，０３７，４３０号明細書
（特許文献２８）  米国特許第７，６６９，４２３号明細書
（特許文献２９）  米国特許第７，６８５，８２０号明細書
（特許文献３０）  米国特許第７，７２６，１１４号明細書
（特許文献３１）  米国特許第７，８８０，３５５号明細書
（特許文献３２）  米国特許第７，９６６，８６８号明細書
（特許文献３３）  米国特許出願公開第２００１／００２３５８０号明細書
（特許文献３４）  米国特許出願公開第２００７／０１２５０６３号明細書
（特許文献３５）  米国特許出願公開第２０１０／０１０１２３１号明細書
（特許文献３６）  米国特許出願公開第２０１０／０２４２４２９号明細書
（特許文献３７）  米国特許出願公開第２０１１／０１７９７９９号明細書
（特許文献３８）  米国特許出願公開第２０１１／０２０６１７３号明細書
（特許文献３９）  米国特許出願公開第２０１２／０２１６５３６号明細書
（特許文献４０）  米国特許出願公開第２０１３／０１８０２５９号明細書
（特許文献４１）  国際公開第１９９５／２４８２２号
（特許文献４２）  国際公開第２０１０／１５１５６０号
（特許文献４３）  国際公開第２０１５／１３０８９８号
（特許文献４４）  米国特許第４，５３７，０３２号明細書
（特許文献４５）  米国特許第５，７９９，４８４号明細書
（特許文献４６）  米国特許第５，８１３，２１５号明細書
（特許文献４７）  仏国特許発明第８１０３７９号明細書
（特許文献４８）  米国特許出願公開第２００２／００６３４７９号明細書
（特許文献４９）  米国特許出願公開第２００７／０１３７２１１号明細書
（特許文献５０）  米国特許出願公開第２００９／０２１１２６０号明細書
（特許文献５１）  米国特許出願公開第２０１１／００９４２３１号明細書
（特許文献５２）  米国特許出願公開第２０１２／００００２０４号明細書
（特許文献５３）  米国特許出願公開第２０１２／００９６８６９号明細書
（特許文献５４）  米国特許第９，５４０，９９９号明細書
（特許文献５５）  米国特許第２，６２１，４７５号明細書
（特許文献５６）  米国特許第５，７７８，６７５号明細書
（特許文献５７）  米国特許第３，７８８，０６６号明細書
（特許文献５８）  米国特許第３，７９１，１３７号明細書
（特許文献５９）  米国特許第３，９１３，３１５号明細書
（特許文献６０）  米国特許第４，６４０，６６５号明細書
（特許文献６１）  米国特許第５，２３１，８３５号明細書
（特許文献６２）  米国特許第５，３４７，８０６号明細書
（特許文献６３）  米国特許第６，１４１，９５３号明細書
（特許文献６４）  米国特許第６，１６１，３９２号明細書
（特許文献６５）  米国特許第６，２２０，０５３号明細書
（特許文献６６）  米国特許出願公開第２０１３／００４２６０１号明細書
（非特許文献）
（非特許文献１）  Ｅｎｇｌｉｓｈ  ｔｒａｎｓｌａｔｉｏｎ  ｏｆ  Ｃｈｉｎｅｓｅ  Ａｐｐｌｉｃａｔｉｏｎ  Ｎｏ．２０１５８００４４３６７．６：  Ｎｏｔｉｆｉｃａｔｉｏｎ  ｏｆ  ｔｈｅ  Ｆｉｒｓｔ  Ｏｆｆｉｃｅ  Ａｃｔｉｏｎ  ｄａｔｅｄ  Ａｕｇｕｓｔ  ２８，２０１７，８  ｐａｇｅｓ
（非特許文献２）  Ｄｏｓｔａｌ，Ｓｕｐｅｒｃｒｉｔｉｃａｌ  Ｃａｒｂｏｎ  Ｄｉｏｘｉｄｅ  Ｃｙｃｌｅ  ｆｏｒ  Ｎｅｘｔ  Ｇｅｎｅｒａｔｉｏｎ  Ｎｕｃｌｅａｒ  Ｒｅａｃｔｏｒ，Ａｄｖａｎｃｅｄ  Ｎｕｃｌｅａｒ  Ｐｏｗｅｒ  Ｔｅｃｈｎｏｌｏｇｙ  Ｐｒｏｇｒａｍ，Ｍａｒｃｈ  ２００４，３２６  ｐｇｓ
（非特許文献３）  Ｗｒｉｇｈｔ，Ｏｐｅｒａｔｉｏｎ  ａｎｄ  Ａｎａｌｙｓｉｓ  ｏｆ  ａ  Ｓｕｐｅｒｃｒｉｔｉｃａｌ  ＣＯ２  Ｂｒａｙｔｏｎ  Ｃｙｃｌｅ，Ｓａｎｄｉａ  Ｎａｔｉｏｎａｌ  Ｌａｂｏｒａｔｏｒｉｅｓ，ＳＡＮＤ２０１０．０１７１，Ｓｅｐｔｅｍｂｅｒ  ２０１０，１０１  ｐｇｓ
（非特許文献４）  Ｉｎｔｅｒｎａｔｉｏｎａｌ  Ｐａｔｅｎｔ  Ａｐｐｌｉｃａｔｉｏｎ  Ｎｏ．ＰＣＴ／ＵＳ２０１５／０４６４１５：  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｄｅｃｅｍｂｅｒ  ３，２０１５，１３  ｐａｇｅｓ
（非特許文献５）  Ｉｎｔｅｒｎａｔｉｏｎａｌ  Ｐａｔｅｎｔ  Ａｐｐｌｉｃａｔｉｏｎ  Ｎｏ．ＰＣＴ／ＵＳ２０１５／０４６４００：  Ｉｎｔｅｒｎａｔｉｏｎａｌ  Ｓｅａｒｃｈ  Ｒｅｐｏｒｔ  ａｎｄ  Ｗｒｉｔｔｅｎ  ｄａｔｅｄ  Ｄｅｃｅｍｂｅｒ  ４，２０１５，１１  ｐａｇｅｓ